(57)【要約】【課題】  保持枠を回転して保持枠とねじ棒との間の締め付けを調整する際、保持枠上にからからと大幅に移動し、操作を邪魔したり指を挟んだりすることのないターンバックルを提供する。【解決手段】  ターンバックルが、保持枠４と、該保持枠４に螺合されるねじ棒５と、該ねじ棒５と同一軸線上に位置する通孔６０を有し、保持枠４にねじ棒５の軸線に沿って移動可能に設けられた止め台６と、該止め台６の保持枠４に対する移動を制限する止め具７３とを備え、ねじ棒５の先端部には、横断面非円形の非円形突起５２と、その非円形突起の先端より軸方向に延出する円形突起５３とが順次に連設され、止め台６の通孔６０は、非円形突起５２に相対回転不能に嵌合し得る非円形孔部６３と、円形突起５３に相対回転可能に嵌合する円形孔部６２とを備え、止め具７３は、止め台６の移動をねじ棒５上の非円形突起５２と円形突起５３とに対応する範囲内に制限できるように、止め台６に対しその外側から係合可能として円形突起５３の先端部に固定される。【選択図】  図１
2006118697.tif 000002
【特許請求の範囲】
【請求項１】
タイロッド（８）を引っ張ってブレースを構成する際に使用されるターンバックルであって、
保持枠（４）と、
その保持枠（４）に螺合されて自己の軸線に沿って進退し得るねじ棒（５）と、
そのねじ棒（５）と同一軸線上に位置する通孔（６０）を有し、前記保持枠（４）に該ねじ棒（５）の軸線に沿って移動可能に設けられた止め台（６）と、
その止め台（６）の前記保持枠（４）に対する前記移動を制限するための止め具（７３）とを備え、
前記ねじ棒（５）の先端部には、横断面非円形の非円形突起（５２）と、その非円形突起（５２）の先端より軸方向に延出し且つ横断面が該非円形突起（５２）よりも小径の円形に形成される円形突起（５３）とが順次に連設され、
前記止め台（６）の通孔（６０）は、前記非円形突起（５２）に対応して形成され該非円形突起（５２）に相対回転不能に嵌合し得る非円形孔部（６３）と、前記円形突起（５３）に対応して形成され該円形突起（５３）に相対回転可能に嵌合する円形孔部（６２）とを備えており、
前記止め具（７３）は、前記止め台（６）の前記移動を前記ねじ棒（５）上の前記非円形突起（５２）と前記円形突起（５３）とに対応する範囲内に制限できるように、該止め台（６）に対しその外側から係合可能として前記円形突起（５３）の先端部に固定されていることを特徴とするターンバックル。
【請求項２】
前記非円形孔部（６３）及び前記非円形突起（５２）は、いずれも横断面が歯車形を呈していることを特徴とする、前記請求項１に記載のターンバックル。
【請求項３】
前記円形突起（５３）の外周面には、そこに弾性的に出没可能であり、前記非円形孔部（６３）が前記円形突起（５３）に嵌合した状態で前記非円形孔部（６３）の歯部に弾性的に係止することができる係止手段（７）が設けられていることを特徴とする、前記請求項２に記載のターンバックル。
【請求項４】
前記円形孔部（６２）の内径と前記円形突起（５３）の外径とはほぼ同じで、前記非円形孔部（６３）が前記非円形突起（５２）に嵌合、係止されている際、前記円形孔部（６２）も前記円形突起（５３）に嵌合していることを特徴とする、前記請求項２または３に記載のターンバックル。
【請求項５】
前記係止手段（７）は、前記円形突起（５３）にその径方向に沿って且つ該円形突起（５３）の両側面に開口するように形成されている直孔（５３２）と、その直孔（５３２）内に収納されるコイルばね（７１）と、そのコイルばね（７１）の両端にそれぞれ隣接して前記直孔（５３２）内に収納される一対の係止具（７２）とを備え、
各係止具（７２）は、通常時にその一部が前記直孔（５３２）の開口からコイルばね（７１）の弾発力で突出し、且つ、前記非円形孔部（６３）が前記円形突起（５３）に嵌合している状態において、前記止め台（６）が所定以上の力を受けて前記ねじ棒（５）に対し相対回転すると、前記非円形孔部（６３）の歯部に押されて前記直孔（５３２）内に出没可能であることを特徴とする前記請求項４に記載のターンバックル。
【請求項６】
前記保持枠（４）は、前記タイロッド（８）と連接する第１の端部（４２）と、前記ねじ棒（５）を介して他の構造物に連接する第２の端部（４３）と、前記第１及び第２の端部（４２，４３）の相互間を連結する互いに前記ねじ棒（５）の軸線と平行な一対の軸部材（４１）とより長方形状に形成されると共に、前記第２の端部（４３）に、前記一対の軸部材（４１）と平行で前記ねじ棒（５）自体の軸線と同一の軸線を有して前記ねじ棒（５）をねじ込み挿通させるねじ孔（４３１）が形成されており、
前記止め台（６）は、前記一対の軸部材（４１）の間に取り付けられており、その両側にそれぞれ前記一対の軸部材（４１）の一つに沿って摺動可能に嵌合することができる開口（６１）が凹設されていることを特徴とする、前記請求項１〜５のいずれかの一項に記載のターンバックル。
【発明の詳細な説明】
【技術分野】
【０００１】
本発明は、ターンバックルに関し、特にタイロッドを引っ張ってブレースを構成する際に使用されるターンバックルに関する。
【背景技術】
【０００２】
従来から、略棒状のタイロッドと、前記タイロッドを引っ張るためのターンバックルとからなるブレースがある。このようなブレースを使用する場合、前記タイロッドの一端をある構造物の所定箇所と連接し、他端を前記ターンバックルを介して前記構造物の他の箇所または他の構造物の所定箇所と連接した後、前記ターンバックルの締めねじを調整することにより、前記構造物中の２の構造部材間または前記２の構造物間を適当に引っ張って前記２の構造部材を有する構造物を強化しまたは前記他の構造物によって前記構造物を安定化させることができる。例えば、コンテナーの積載を例として、コンテナーを移動機関のプラットフォーム、例えば船の甲板上に安置させる場合、前記のようにタイロッドとターンバックルとからなったブレースによって、前記コンテナーと前記甲板上に固定された構造物との間を該コンテナーの側面に沿うように引っ張って前記船などの移動機関の移動中に前記コンテナーなどの物品の移動・転倒を防止することができる。
【０００３】
この従来のブレースにおけるターンバックルは、主として保持枠とねじ棒とからなり、前記ねじ棒の締付けによってタイロッドの引締具合を調整する機能を有するが、移動機関、例えば船の揺れるに従って、前記ねじ棒が頻繁に引締めの反対方向へ捻られて前記引締めを弛ませる問題がある。それに対し、本発明者は、下記特許文献１にて、保持枠と、その先端部に非円形突起が形成されているねじ棒と、前記保持枠上に移動可能に設けられており且つ前記非円形突起と係合する通孔が形成されている止め台とからなるターンバックルを提案した。このようなターンバックルは、前記タイロッドと合わせて２の構造物（例えば前記コンテナー及び前記甲板）の間を連接してから前記保持枠と前記ねじ棒との間の締め付けを調整した後、前記止め台を移動させて前記止め台の非円形通孔を前記ねじ棒の非円形突起と係合することにより、前記保持枠と前記ねじ棒とを相対的に捻ることができないように止めることができる。即ち、この構成によるターンバックルは、前記タイロッドと合わせて２の構造物との間の引張りに使用される場合、前記止め台の非円形通孔と前記ねじ棒の非円形突起との係合により、前記２の構造物への引締め力を緩まないように確保することができる。
【０００４】
しかしながら、前記ターンバックルは従来のターンバックルの問題を解決するためになされたものであるが、実務上には、揺れが激しい場合、前記止め台が前記ねじ棒から脱着して前記係合を解除する可能性もあるため、従来の引き締めの緩みやすい問題を確かに防止することができるとは言えないので、本発明者は、更に、下記特許文献２にて、タイロッドを引っ張ってブレースを構成する際に使用されるターンバックルであって、保持枠と、この保持枠に進退可能に螺合され、先端部には非円形突起が延設されたねじ棒と、そのねじ棒の延長軸線上に在って該非円形突起と抜差可能に且つ相対回転不能に嵌合し得る非円形通孔を有し、その非円形通孔の非円形突起に対する抜差しのための移動を可能として前記保持枠上に設けられている止め台とからなっており、前記非円形突起の外周面には、一連の係止穴が周方向に沿って形成され、前記止め台には、非円形通孔の内面より一部が出没可能であり且つその非円形通孔が非円形突起と嵌合する時に前記係止穴のいずれかを弾性的に係止することができる係止手段が設けられているターンバックルを提案した。
【特許文献１】実用新案登録第３０９５１５８号
【特許文献２】特願２００４―２４２４２３号
【発明の開示】
【発明が解決しようとする課題】
【０００５】
しかし、前記いずれかの止め台は通常時に前記保持枠上に移動自在になっており、前記保持枠を回転して前記保持枠と前記ねじ棒との間の締め付けを調整する際、前記保持枠上でからからと比較的長い距離を移動し、操作を邪魔したり指を挟んだりするという欠点がある。
【０００６】
上記に鑑みて、本発明の目的は、前記止め台が通常時に前記保持枠上に移動自在になっておらず、前記保持枠を回転して前記保持枠と前記ねじ棒との間の締め付けを調整する際、前記保持枠上でからからと比較的長い距離を移動し、操作を邪魔したり指を挟んだりすることのないターンバックルを提供しようとすることにある。
【課題を解決するための手段】
【０００７】
前記目的を達成するために、発明者は、鋭意研究した結果、前記止め台をいつも前記ねじ棒に保持させるようにすれば、該止め台を前記保持枠上に移動自在にならないようにさせることができるという発想が浮かんだ。
【０００８】
そして、前記止め台をいつも前記ねじ棒に保持させようとすれば、前記保持枠の前記ねじ棒に対する回転を阻止せずにそれらを連結する構造を与えなければならないという発想も浮かんだ。
【０００９】
本発明は、前記発想に基づき提案されたものであって、タイロッドを引っ張ってブレースを構成する際に使用されるターンバックルであって、保持枠と、に螺合されて自己の軸線に沿って進退し得るねじ棒と、そのねじ棒と同一軸線上に位置する通孔を有し、前記保持枠に該ねじ棒の軸線に沿って移動可能に設けられた止め台と、その止め台の前記保持枠に対する前記移動を制限するための止め具とを備え、前記ねじ棒の先端部には、横断面非円形の非円形突起と、その非円形突起の先端より軸方向に延出し且つ横断面が該非円形突起よりも小径の円形に形成される円形突起とが順次に連設され、前記止め台の通孔は、前記非円形突起に対応して形成され該非円形突起に相対回転不能に嵌合し得る非円形孔部と、前記円形突起に対応して形成され該円形突起に相対回転可能に嵌合する円形孔部とを備えており、前記止め具が、前記止め台の前記移動を前記ねじ棒上の前記非円形突起と前記円形突起とに対応する範囲内に制限できるように、該止め台に対しその外側から係合可能として前記円形突起の先端部に固定されていることを第１の特徴とする。
【００１０】
また本発明は、前記第１の特徴に加えて、前記非円形孔部及び前記非円形突起が、いずれも横断面歯車形を呈していることを第２の特徴とし、またその第２の特徴に加えて、前記円形突起の外周面には、そこに弾性的に出没可能であり、前記非円形孔部が前記円形突起に嵌合した状態で前記非円形孔部の歯部に弾性的に係止することができる係止手段が設けられていることを第３の特徴とする。
【００１１】
また本発明は、前記第２又は第３の特徴に加えて、前記円形孔部の内径と前記円形突起の外径とはほぼ同じで、前記非円形孔部が前記非円形突起に嵌合、係止されている際、前記円形孔部も前記円形突起に嵌合していることを第４の特徴とし、さらに前記第２または第３の特徴に加えて、前記係止手段が、前記円形突起にその径方向に沿って且つ該円形突起の両側面に開口するように形成されている直孔と、その直孔内に収納されるコイルばねと、そのコイルばねの両端にそれぞれ隣接して前記直孔内に収納される一対の係止具とを備え、各係止具が、通常時にその一部が前記直孔の開口からコイルばねの弾発力で突出し、且つ、前記非円形孔部が前記円形突起に嵌合している状態において、前記止め台が所定以上の力を受けて前記ねじ棒に対し相対回転すると、前記非円形孔部の歯部に押されて前記直孔内に出没可能であることを第５の特徴とする。
【発明の効果】
【００１２】
前記構造によるターンバックルは、まず、そのねじ棒の先端部には、内から外へと順次に且つサイズが段々に縮小された非円形突起そして円形突起が更に軸方向に延伸するように形成されており、一方、止め台の通孔は、前記非円形突起と円形突起との配列順序に合わせるように、非円形突起と対応する非円形孔部と、円形突起と対応する円形孔部とに分けてあり、また、前記円形突起の先端には、外から前記止め台を阻止し、該止め台の移動を前記ねじ棒上の前記非円形突起と前記円形突起とに対応する範囲内に制限することができる止め具が固定されているので、ターンバックルが、タイロッドを引っ張ってブレースを構成するために使用される時に、前記保持枠を回転して前記保持枠と前記ねじ棒との間の締め付けを調整することができる上、前記止め台がいつも前記ねじ棒の先端部に付いていて前記保持枠上に移動自在になっておらず、従って、前記調整をする際、前記従来のように保持枠上でからからと比較的長い距離を移動して操作を邪魔したり指を挟んだりする虞れがなくなり、操作上便利であり、作業能率を高めることができる。
【００１３】
また特に前記非円形孔部及び前記非円形突起がいずれも横断面歯車形を呈している場合、それらが容易に噛み合って互いに係合固定することができる。
【００１４】
また特に前記円形突起の外周面に、そこに弾性的に出没することができる係止手段が設けられている場合、前記非円形孔部が前記円形突起に嵌合した状態で、該係止手段が前記非円形孔部の歯車形を弾性的に係止し、所定以上の力による保持枠の回転操作を許容する範囲内に止め台をそこに固定し、移動自在にならないようにさせることができる。即ち、係止手段は、ねじ棒に対する止め台の相対回転操作を許容しつつ、ねじ棒上に止め台をガタ無く的確に保持することができる。
【発明を実施するための最良の形態】
【００１５】
本発明の実施の形態を、添付図面に例示した本発明の実施例に基づいて以下に具体的に説明する。
【００１６】
添付図面は、本発明の一実施例を示すものであって、図１はターンバックルの分解斜視図、図２は、止め台の非円形孔部がねじ棒の円形突起に嵌合している状態の斜視図、図３は、図２の要部の縦断面図、図４は、図２の要部の横断面図、図５は、止め台の非円形孔部がねじ棒の非円形突起に嵌合、係止している状態の斜視図、図６は、図５の要部の横断面図である。
【００１７】
本発明のターンバックルは、タイロッド８を引っ張ってブレースを構成する際に使用されるもので、図１に示すように、保持枠４と、その保持枠４に螺合されて自己の軸線に沿って進退し得るねじ棒５と、そのねじ棒５と同一軸線上に位置する通孔６０を有し、前記保持枠４に該ねじ棒５の軸線に沿って移動可能に設けられた止め台６と、その止め台６の前記保持枠４に対する前記移動を制限するための止め具７３とからなっている。
【００１８】
保持枠４は、タイロッド８の端部と相対回転可能に連接する第１の端部４２と、ねじ棒５を介して他の構造物に連接する第２の端部４３と、第１及び第２の端部の相互間を連結する互いにねじ棒５の軸線と平行な一対の軸部材４１、４１とより全体として長方形状に形成される。前記第２の端部４３に、一対の軸部材４１、４１と平行でねじ棒５自体の軸線と同一の軸線を有してねじ棒５をねじ込み挿通されるねじ孔４３１が形成されている。止め台６は、一対の軸部材４１、４１の間に取り付けられており、その両側にそれぞれ一対の軸部材４１、４１の一つに沿って摺動可能に嵌合することができる開口６１、６１が凹設されている。
【００１９】
図１と図２に示すように、ねじ棒５は、保持枠４上に、該ねじ棒５の軸線に沿って進退可能に螺合され、且つそのねじ棒５の先端部には、内から外へと順次に且つサイズが段々に縮小した非円形突起５２、そして円形突起５３が更に軸方向に延伸するように形成されている。止め台６は、非円形突起５２と円形突起５３との配列順序に合わせるように、非円形突起５２と対応する非円形孔部６３と、円形突起５３と対応する円形孔部６２とに分けてある通孔６０を有する。
【００２０】
この通孔６０の軸線がねじ棒５の軸線と同一である。なお、止め台６は、ねじ棒５の軸線に沿って移動することで、円形突起５３を経由して非円形孔部６３でねじ棒５の非円形突起５２に嵌合、係止し得る位置まで移動することができるように、保持枠４上に設けられている。止め具７３は、図３のように、外から止め台６を阻止し、該止め台６の移動をねじ棒５上の非円形突起５２と円形突起５３とに対応した範囲内に制限することができるように、円形突起５３の先端に固定されている。これにより、止め台６は、通常時にねじ棒５に付いていて所定範囲内で保持枠４上を移動することしかできない。
【００２１】
そして、非円形孔部６３及び非円形突起５２は、本実施形態においていずれも歯車形を呈している。円形孔部６２の内径と円形突起５３の外径とはほぼ同じなので、図５と図６に示すように、非円形孔部６３が非円形突起５２に嵌合、係止されている際、円形孔部６２も円形突起５３にぴったりと嵌合している。
【００２２】
円形突起５３の外周面に、そこに弾性的に出没する係止手段７が設けられている。この係止手段７は、円形突起５３にその径方向に沿って且つ該円形突起５３の両側面に開口するように形成されている直孔５３２と、その直孔５３２内に収納されるコイルばね７１と、そのコイルばね７１の両端にそれぞれ隣接して該直孔５３２内に収納される一対のボール状の係止具７２とより構成される。
【００２３】
そして、その各係止具７２は、通常時にその一部が前記直孔５３２の開口からコイルばね７１の弾発力で突出し、且つ、図４のように非円形孔部６３が円形突起５３に嵌合している状態において、止め台６が保持枠４と共に所定以上の力を受けてねじ棒５に対し相対回転すると、非円形孔部６３の歯部に押されて弾性的に出没させられることができる。このように２の係止具７２、７２と非円形孔部６３の歯車形との弾性的な係止により、保持枠４を回転して保持枠４とねじ棒５との間の締め付けを調整することができる。この時、止め台６が保持枠４上にからからと大幅に移動し、操作を邪魔したり指を挟んだりすることはない。
【００２４】
以上説明した実施形態は、あくまでも本発明の技術的内容を明らかにする意図のものにおいてなされたものであり、本発明はそうした具体例に限定して狭義に解釈されるものではなく、本発明の精神と特許請求の範囲に述べられた範囲でいろいろと変更して実施できるものである。
【図面の簡単な説明】
【００２５】
【図１】本発明のターンバックルの好適な実施形態の分解斜視図。
【図２】止め台の非円形孔部がねじ棒の円形突起に嵌合している状態の斜視図。
【図３】図２の要部の縦断面図。
【図４】図２の要部の横断面図。
【図５】止め台の非円形孔部がねじ棒の非円形突起に嵌合、係止している状態の斜視図。
【図６】図５の要部の横断面図。
【符号の説明】
【００２６】
４      保持枠
５      ねじ棒
６      止め台
７      係止手段
８      タイロッド
４１    軸部材
４２    第１の端部
４３    第２の端部
５２    非円形突起
５３    円形突起
６０    通孔
６１    開口
６２    円形孔部
６３    非円形孔部
７１    コイルばね
７２    係止具
４３１  ねじ孔
５３２  直孔
【図１】
2006118697.tif 000003
【図２】
2006118697.tif 000004
【図３】
2006118697.tif 000005
【図４】
2006118697.tif 000006
【図５】
2006118697.tif 000007
【図６】
2006118697.tif 000008